(57)【特許請求の範囲】
【請求項１】
電子機器のケース内で、光源による光を誘導して前記ケースに設けられた窓部から外側に拡散発光させることによって、所定の動作状況を表示する光ガイドの光ガイド構造であって、
前記ケース内には、スピーカを保持するスピーカホルダが設けられており、
このスピーカホルダと前記光ガイドとが一体成形され、
前記光ガイドと前記窓部との間に、前記光ガイドと異なる色の光拡散材が介在し、
前記光拡散材は、前記窓部に嵌め込まれた樹脂製のカバーのうち、前記光ガイド側の面に透明でないインクによって印刷されており、前記樹脂製のカバーに前記スピーカホルダ及び光ガイドが位置していることを特徴とする光ガイド構造。
【請求項２】
請求項１記載の光ガイド構造において、
前記光ガイドの、前記スピーカホルダと一体成形された側の端部には、前記スピーカホルダに対して傾斜する傾斜部が形成され、前記光ガイドに誘導された光が前記傾斜部からスピーカホルダ側に向かって拡散されることを特徴とする光ガイド構造。
【請求項３】
電子機器のケース内で、光源による光を誘導して前記ケースに設けられた窓部から外側に拡散発光させることによって、所定の動作状況を表示する光ガイドの光ガイド構造であって、
前記ケース内には、スピーカを保持するスピーカホルダが設けられており、
このスピーカホルダと前記光ガイドとが一体成形され、
前記光ガイドの、前記スピーカホルダと一体成形された側の一端部のうち、前記窓部を向く面には、前記スピーカホルダに対して傾斜する傾斜部が形成され、前記傾斜部の前記一端部が円弧状とされ、前記光ガイドに誘導された光が前記傾斜部からスピーカホルダ側に向かって拡散されることを特徴とする光ガイド構造。
【請求項４】
請求項３に記載の光ガイド構造において、
前記光ガイドと前記窓部との間に、前記光ガイドと異なる色の光拡散材が介在していることを特徴とする光ガイド構造。
【請求項５】
請求項１〜４のいずれかに記載の光ガイド構造において、
前記光ガイドおよび前記スピーカホルダは、乳白色の樹脂から形成されていることを特徴とする光ガイド構造。
【発明の詳細な説明】
【０００１】
【発明の属する技術分野】
本発明は、電子機器のケース内で、光源による光を誘導して前記ケースに設けられた窓部から外側に拡散発光させることによって、所定の動作状況を表示する光ガイドの光ガイド構造に関する。
【０００２】
【従来の技術】
従来、電子機器には、使用者が所定の動作状況を容易に確認できるように、ケースの所定面に、所定の動作に合わせて発光する光ガイドを設けている。この光ガイドは、アクリル等の透明樹脂からなり、ケース内に、このケースの窓部に臨むようにして取り付けられている。そして、ケース内の回路基板に実装されたＬＥＤ等の光源が、電子機器の所定動作に合わせて光ガイドを照射することによって、ケースの表面で発光するように形成されている。このような光ガイド構造は、例えば、ＰＨＳ電話機器、携帯電話機器等の移動体通信端末の着信ランプとして採用されている。
【０００３】
一方、ＰＨＳ電話機器、携帯電話機器等の移動体通信端末には、着信音を発するスピーカが備えられているが、このスピーカは、例えば、特開平１０−４２３８３号公報「携帯機器のスピーカ固定構造」に記載されているように、ケースの裏面側に設けられた回路基板上に取り付けられたスピーカホルダ内に、はめ込まれることによって取り付けられている。
【０００４】
【発明が解決しようとする課題】
ところで、前記光ガイドとスピーカホルダとは、通常、上述したようにケース内に取り付けられているが、一体となっておらず、それぞれ別構成部材となっている。そのため、これら光ガイドとスピーカホルダとを取り付ける場合には、部品点数が複数となって、組み立てまたは分解作業に手間がかかっていた。また、光ガイドとスピーカホルダとの間の位置決めや、スピーカホルダだけではなくケースに対する光ガイドの位置決めも必要であり、その作業が困難であった。
【０００５】
本発明は、上記事情に鑑みてなされたもので、組み立てまたは分解における作業効率を向上させることができるとともに、光ガイドの位置決めを容易に行うことができる光ガイド構造を提供することを課題としている。
【０００６】
【課題を解決するための手段】
上記課題を解決するために、請求項１の発明は、電子機器のケース内で、光源による光を誘導して前記ケースに設けられた窓部から外側に拡散発光させることによって、所定の動作状況を表示する光ガイドの光ガイド構造であって、
前記ケース内には、スピーカを保持するスピーカホルダが設けられており、
このスピーカホルダと前記光ガイドとが一体成形され、
前記光ガイドと前記窓部との間に、前記光ガイドと異なる色の光拡散材が介在し、
前記光拡散材は、前記窓部に嵌め込まれた樹脂製のカバーのうち、前記光ガイド側の面に透明でないインクによって印刷されており、前記樹脂製のカバーに前記スピーカホルダ及び光ガイドが位置していることを特徴とする。
【０００７】
請求項２の発明は、請求項１記載の光ガイド構造において、
前記光ガイドの、前記スピーカホルダと一体成形された側の端部には、前記スピーカホルダに対して傾斜する傾斜部が形成され、前記光ガイドに誘導された光が前記傾斜部からスピーカホルダ側に向かって拡散されることを特徴とする。
【０００８】
請求項３の発明は、電子機器のケース内で、光源による光を誘導して前記ケースに設けられた窓部から外側に拡散発光させることによって、所定の動作状況を表示する光ガイドの光ガイド構造であって、
前記ケース内には、スピーカを保持するスピーカホルダが設けられており、
このスピーカホルダと前記光ガイドとが一体成形され、
前記光ガイドの、前記スピーカホルダと一体成形された側の一端部のうち、前記窓部を向く面には、前記スピーカホルダに対して傾斜する傾斜部が形成され、前記傾斜部の前記一端部が円弧状とされ、前記光ガイドに誘導された光が前記傾斜部からスピーカホルダ側に向かって拡散されることを特徴とする。
【０００９】
請求項４の発明は、請求項３に記載の光ガイド構造において、
前記光ガイドと前記窓部との間に、前記光ガイドと異なる色の光拡散材が介在していることを特徴とする。
【００１０】
請求項５の発明は、請求項１〜４のいずれかに記載の光ガイド構造において、
前記光ガイドおよび前記スピーカホルダは、乳白色の樹脂から形成されていることを特徴とする。
【００１１】
【発明の実施の形態】
以下、本発明の実施の形態を図面に基づいて説明する。
図１は、本発明の実施の形態に係る光ガイド構造を採用した折り畳み式携帯電話機の閉じた状態を示す斜視図、図２は、折り畳み式携帯電話機の開いた状態を示す正面図、図３は、蓋体ケースの分解斜視図、図４(a)は、図３におけるケース本体に回路基板までが取り付けられた状態のＡ−Ａ断面図、図４(b)は、図３におけるケース本体に回路基板までが取り付けられた状態のＢ−Ｂ断面図、図５(a)は、光ガイドとスピーカホルダとが一体成形された構造を示す上面図、図５(b)は、図５(a)の側面図である。
【００１２】
図１および図２に示すように、本発明の実施の形態に係る光ガイド構造を採用した折り畳み式携帯電話機１は、扁平な上筐体２と下筐体３とを備え、上筐体２の上端部と下筐体３の下端部とがヒンジ機構４を介して互いに連結されている。そして、下筐体３を開いた状態と、下筐体３を閉じた状態との間で開閉操作が可能となっている。また、上筐体２の背部には、伸縮式アンテナ５が設けられている。
【００１３】
前記上筐体２内には、キートップスイッチ６等の複数の電子部品を実装した回路基板（図示しない）が設けられている。
【００１４】
前記下筐体３は、図３に示すように、ケース本体７と蓋体１１とを備えており、この蓋体１１にはフロントグラスがはめ込まれている。そして、前記下筐体３内には、ＬＣＤ８、ＬＥＤ９，９等の複数の電子部品を実装し、これらを電気的に接続する回路基板１０等が設けられている。
【００１５】
前記ケース本体７には、図３および図４(a),(b)に示すように、該ケース本体７を貫通する長尺な貫通穴が左右に２つ形成され、この貫通穴にそれぞれ透明な樹脂製カバー１３，１３がはめ込まれ、これによって窓部１２，１２が形成されている。この窓部１２，１２には、該窓部１２，１２に沿ってそれぞれ光ガイド１４，１４が配置されている。
【００１６】
前記光ガイド１４は、回路基板１０に実装されたＬＥＤ９，９による光を誘導して、窓部１２から外側に拡散発光させることによって、所定の動作状況を表示するものである。
この光ガイド１４は、乳白色の樹脂から形成されており、発光するＬＥＤ９，９の光を効率良く誘導するようになっている。また、光ガイド１４の形状は、図５(a),(b)に示すように、長尺な、つの状で、この光ガイド１４の裏面（窓部１２に配置される面）が、一方の端部から他方の端部に向かって滑らかに傾斜するように形成されている。
【００１７】
また、前記ケース本体７内には、図３および図５(a),(b)に示すように、略円板状のスピーカ１５，１５を保持するスピーカホルダ１６が設けられている。
前記スピーカホルダ１６も、前記光ガイド１４，１４と同様に乳白色の樹脂から形成されている。このように乳白色とすることによって、光を効率良く誘導することが可能となり、光ガイド１４，１４が位置していない部分の光の補充をすることができる。
【００１８】
前記スピーカホルダ１６には、該スピーカホルダ１６を貫通する円形状の配置穴１６a,１６aが左右に２つ形成されており、この配置穴１６a,１６a内に前記スピーカ１５，１５がそれぞれはめ込まれている。
また、スピーカホルダ１６の縁部の左右に、それぞれ光ガイド１４，１４の前記一方の端部が一体成形されている。そして、このように一体成形されたスピーカホルダ１６と光ガイド１４，１４とが、両面テープによってケース本体７に固定され、このスピーカホルダ１６の裏面および光ガイド１４，１４の裏面に、窓部１２，１２が位置している。
【００１９】
なお、光ガイド１４，１４の、スピーカホルダ１６と一体成形された側の端部の裏面には、スピーカホルダ１６に対して傾斜する傾斜部１８が形成されている。つまり、傾斜部１８は、下に凸となるように円弧状となっている（図５(b)参照）。
このように光ガイド１４，１４の端部を円弧状に形成することによって、ＬＥＤ９，９から照射された光をスピーカホルダ１６側に向けて前方（矢印Ｃ側）に拡散させ、光ガイド１４，１４が窓部１２，１２に対して位置しておらず、光が届かない部分を補充することができ、これによって、窓部１２，１２全体に光を照射させるようにしている。
【００２０】
また、図３および図４(a),(b)に示すように、光ガイド１４，１４と窓部１２，１２との間には、光ガイド１４，１４と異なる色の光拡散材１７，１７が介在している。すなわち、この光拡散材１７，１７は、ケース本体７に形成された貫通穴にはめ込まれた透明な樹脂製のカバー１３，１３の表面（光ガイド１４，１４が取り付けられる側の面）に、透明でないインクによって印刷されている。
そして、この樹脂製のカバー１３，１３に、スピーカホルダ１６および光ガイド１４，１４が位置するようになっている（図４(b)参照）。
【００２１】
一方、前記回路基板１０に実装されたＬＥＤ９，９は、スピーカホルダ１６の縁部に近く、光ガイド１４，１４のほぼ真下に当たる回路基板１０上に２つ配置されている（図３および図４(a),(b)参照）。
そして、このＬＥＤ９，９からの光は、光ガイド１４，１４およびスピーカホルダ１６に入射されて拡散され、さらに、光ガイド１４，１４と窓部１２，１２との間に介在された光拡散材１７，１７で拡散されることによって、窓部１２，１２を介してケース本体７の表面に発光される。
【００２２】
ここで、前記光ガイド１４，１４およびスピーカホルダ１６の取り付け例について説明する。図３に示すように、まず、ケース本体７の貫通穴に、光拡散材１７，１７が印刷された側を表面（上側）にして、樹脂製のカバー１３，１３をそれぞれはめ込むことによって窓部１２，１２とする。
【００２３】
次に、この窓部１２，１２に沿って光ガイド１４，１４が配置されるように、一体成形された光ガイド１４，１４およびスピーカホルダ１６を両面テープによって固定する（なお、一体成形された光ガイド１４，１４およびスピーカホルダ１６は、図３の状態から表裏反転させることによって取り付けるようにする）。
【００２４】
次いで、スピーカホルダ１６の配置穴１６a,１６a内に、スピーカ１５，１５をそれぞれはめ込み、ＬＥＤ９，９やＬＣＤ８が実装されている回路基板１０をケース本体７に実装し、該ケース本体７に蓋体１１をはめ込む。
【００２５】
本発明の実施の形態に係る光ガイド構造によれば、光ガイド１４，１４は、ケース本体７内に設けられたスピーカ１５，１５を保持するスピーカホルダ１６と、一体成形されているので、部品点数を削減することができ、よって、組み立てまたは分解における作業効率を向上させることができる。
また、スピーカホルダ１６をケース本体７の所定の位置に位置決め固定することにより、光ガイド１４，１４とスピーカホルダ１６との間の位置決めや、ケース本体７に対する光ガイド１４，１４の位置決めを容易に行うことができる。
さらに、光ガイド１４，１４とスピーカホルダ１６とを一体に成形することによって、スペースに限定がある機器等において、少ないスペースで効率の良い光ガイド構造を得ることができる。
【００２６】
前記光ガイド１４，１４およびスピーカホルダ１６は、乳白色の樹脂から形成されているので、発光するＬＥＤ９，９の光を効率良く誘導することができる。つまり、本発明の乳白色の樹脂からなる光ガイド１４，１４およびスピーカホルダ１６は、従来のアクリル等の透明樹脂からなる光ガイドに比して、光の拡散性が良好となる。
また、スピーカホルダ１６も光ガイド１４，１４の作用を兼ねることができ、発光するＬＥＤ９，９の光を効率良く誘導することができる。
したがって、ケース本体７の表面で発光される明るさがより強くなり、使用者が光ガイド１４，１４の発光によって容易に動作状況を確認することが可能となる。
【００２７】
前記光ガイド１４，１４と窓部１２，１２との間に、光ガイド１４，１４と異なる色の光拡散材１７，１７が介在しているので、この光拡散材１７，１７によって、光ガイド１４，１４から照射された光をケース本体７の表面で、さらに拡散させることができ、光の明るさをより一層強めることができる。
【００２８】
なお、本発明は、上記実施の形態に限定されるものではなく、その要旨を逸脱しない範囲で適宜変更可能である。
例えば、本発明の実施の形態では、折り畳み式携帯電話機１の着信ランプに前記光ガイド構造を採用したが、ＰＨＳ電話機、パソコン、モデム、ルータ等の電子機器に使用される所定のランプにも採用することができる。
また、前記光ガイド１４，１４やスピーカホルダ１６は、上述した形状に限定されるものではなく、適宜変更可能である。
【００２９】
【発明の効果】
本発明の光ガイド構造によれば、組み立てまたは分解における作業効率を向上させることができるとともに、光ガイドの位置決めを容易に行うことができる。
【図面の簡単な説明】
【図１】本発明の実施の形態を示すためのもので、折り畳み式携帯電話の閉じた状態を示す斜視図である。
【図２】同、折り畳み式携帯電話の開いた状態を示す正面図である。
【図３】同、蓋体ケースの分解斜視図である。
【図４】同、(a)は、図３におけるケース本体に回路基板までが取り付けられた状態のＡ−Ａ断面図、(b)は、図３におけるケース本体に回路基板までが取り付けられた状態のＢ−Ｂ断面図である。
【図５】同、(a)は、光ガイドとスピーカホルダとが一体成形された構造を示す上面図、(b)は、(a)の側面図である。
【符号の説明】
１  電子機器（折り畳み式携帯電話機）
７  ケース（ケース本体）
９  光源（ＬＥＤ）
１０  回路基板
１２  窓部
１４  光ガイド
１５  スピーカ
１６  スピーカホルダ
１７  光拡散材
１８  傾斜部
【図１】
0003919511.tif 000002
【図２】
0003919511.tif 000003
【図３】
0003919511.tif 000004
【図４】
0003919511.tif 000005
【図５】
0003919511.tif 000006